(57)【要約】【課題】  電子機器の設定を行うメニュー画面において、利用者が容易に所望の設定項目を選択できる電子機器を提供する。【解決手段】  複数の電子機器の設定項目を所定の分類で分け、その分類を図示する複数のアイコン１５を表示する。アイコン１５の視認性を向上させるため、アイコン枠１６をアイコン１５の背景とし、利用者がアイコンを選択する際に、選択中のアイコン１５及びアイコン枠１６をその背景色を変更して表示することによって明示するカーソル１７を使用する。このアイコン１５、アイコン枠１６、カーソル１７の３つの構成により、利用者は多数ある電子機器の設定項目の分類であるアイコン１５から所望のアイコンを容易に選択することができる。【選択図】      図３
2006302084.tif 000002
【特許請求の範囲】
【請求項１】
映像及び音声を表示する表示手段若しくは外部表示機器への映像及び音声信号出力手段とを備えた電子機器と、該電子機器の各種設定を行う際、画面上に各種設定項目の分類に応じて図形化した複数のアイコンと、複数のアイコンから所望のアイコンを選択するためのカーソルとを備え、操作手段により前記アイコンから所望の設定項目を示すアイコンへカーソルを移動して確定操作を行う際、そのアイコンの確定操作と連動して該アイコンに関連付けられた所定の設定項目が一覧表示される設定変更画面へと切り換え表示するように構成したことを特徴とする簡易項目選択方法。
【請求項２】
前記アイコンの背景となるアイコン枠を有するとともに、前記カーソルが操作手段によりアイコン上を移動した際、選択中のアイコンの背景色を変更することを特徴とする請求項１に記載の簡易項目選択方法。
【請求項３】
前記設定変更画面では、前記アイコンに関連付けられた所定の設定項目が表示され、所望の設定項目を選択して確定操作を行うと、所望の設定項目を除いたその他の設定項目を非表示とするとともに、その設定項目の設定完了の確定操作に連動してその他の設定項目を再表示することを特徴とする請求項１又は２に記載の簡易項目選択方法。
【請求項４】
請求項１から３の何れか１項に記載の簡易項目選択方法をメニュー画面の項目選択方法として備えたことを特徴とする簡易項目選択方法を備えた電子機器。
【発明の詳細な説明】
【技術分野】
【０００１】
本発明は、テレビジョンなどの表示装置、ＤＶＤ（Ｄｉｇｉｔａｌ  Ｖｅｒｓａｔｉｌｅ  Ｄｉｓｋ）、ＨＤＤ（Ｈａｒｄ  Ｄｉｓｋ  Ｄｒｉｖｅ）、ビデオテープなどの記録媒体を用いた記録再生装置、またこれら表示装置及び記録再生装置の複合機が有するメニュー画面による設定変更機能における簡易項目選択方法及びそれを備えた電子機器に関する。
【背景技術】
【０００２】
従来、様々な電子機器は、電子機器が備える機能や調整などの各種の設定を変更するために操作手段及び表示手段を備え、該表示手段に設定項目を表示し、操作手段により設定を変更し、利用者が使用し易いよう電子機器の動作を変更することが可能な機能を有している。このような設定項目の選択方法に関し、従来から種々の方法が開示されている。
【０００３】
例えば、特許文献１では、操作手段を所定の時間操作されていると判断された場合、カーソルが位置するアイコンに関連付けられている情報を前記アイコンと共に表示し、前記アイコンに関連付けられている情報を表示している状態で、前記操作手段の操作が解除された場合、その情報を消去し、元の状態に戻すという方法のメニュー画面を開示している。すなわち、表示手段に表示されたアイコン群において、選択中のアイコンを示すカーソルを表示し、例えば操作手段としてボタンを押し続けると、アイコン群を消去し、カーソルにより選択中のアイコンに関連付いている情報を表示し、ボタンを離すことにより、情報を消去し、アイコン群再表示することができる。
【０００４】
また、特許文献２では、円弧状にアイコンを配置し、ユーザに選択されたアイコンを円弧の中心方向又は外周方向に移動させ、選択されたアイコン以外の円弧上のアイコンを消去し、選択されたアイコンに従属するサブアイコンを円弧上に表示するという方法のメニュー画面を開示している。すなわち、表示手段に第一のアイコン郡を円弧状に並べ、選択中のアイコンを示すカーソルを表示し、該カーソルにより選択中のアイコンに対して操作手段によって確定操作を行うと、選択中のアイコン以外を消去し、選択中のアイコンに関連付いている設定情報等を示す第二のアイコン群を第一のアイコン群が表示されていた円弧の同心円として表示する。
【０００５】
【特許文献１】特開２００２−２０７５６２号公報
【特許文献２】特開２００３−７６４６０号公報
【発明の開示】
【発明が解決しようとする課題】
【０００６】
しかしながら、従来の円弧上のメニュー画面では、機器の設定の複雑化と共に増加傾向にある多数の設定項目やそれを分類する複数のアイコンを表示すると、視認性が悪くなり、また、操作も複雑になってしまうなどの欠点があった。また、設定項目を所定の分類により複数の階層により構成されるメニュー画面では、例えば所望の分類を選択し、その分類に従属する設定項目を表示する際に、選択した分類を画面から見えなくしてしまうことにより、利用者がどの分類の設定項目を操作しているか分からなくなってしまうという欠点があった。
【０００７】
本発明は上記課題を鑑みてなされたものであり、設定時における視認性の向上を図るとともに、所望の設定項目の選択を簡単かつ迅速に行える簡易項目選択方法及びそれを備えた電子機器を提供することを目的とする。
【課題を解決するための手段】
【０００８】
映像及び音声を表示する表示手段若しくは外部表示機器への映像及び音声信号出力手段とを備えた電子機器と、該電子機器の各種設定を行う際、画面上に各種設定項目の分類に応じて図形化した複数のアイコンと、複数のアイコンから所望のアイコンを選択するためのカーソルとを備え、操作手段により前記アイコンから所望の設定項目を示すアイコンへカーソルを移動して確定操作を行う際、そのアイコンの確定操作と連動して該アイコンに関連付けられた所定の設定項目が一覧表示される設定変更画面へと切り換え表示するように構成したことを特徴とする。
【０００９】
請求項１の構成によれば、電子機器の複数の設定項目をその内容により分類し、それぞれの分類がどのような機能による分類なのかを図示するアイコンを設け、モニタなどの表示手段に出力することにより、その分類がどのような機能を持った設定項目の集合なのかを利用者の視覚に訴えることができる。また、アイコンの背景となるアイコン枠により、アイコンの図形の視認性を良好な状態に保つことができる。また、複数あるアイコンのうち、選択中のアイコンの判別を容易に行うために、カーソルを明示する。選択中のアイコンに対して操作手段により確定操作を行うと、そのアイコンが示す複数の設定項目を表示する設定変更画面に遷移する。
【００１０】
請求項２に係る簡易項目選択方法は、請求項１に記載の簡易項目選択方法において、前記アイコンの背景となるアイコン枠を有するとともに、前記カーソルが操作手段によりアイコン上を移動した際、選択中のアイコンの背景色を変更することを特徴とする。
【００１１】
請求項２の構成によれば、所望のアイコンを選択するためのカーソルは、選択中のアイコン及びアイコン枠の背景色を変更したものであり、選択中のアイコンの視認性を向上することができる。
【００１２】
請求項３に係る簡易項目選択方法は、請求項１又は２に記載の簡易項目選択方法において、前記設定変更画面では、前記アイコンに関連付けられた所定の設定項目が表示され、所望の設定項目を選択して確定操作を行うと、所望の設定項目を除いたその他の設定項目を非表示とするとともに、その設定項目の設定完了の確定操作に連動してその他の設定項目を再表示することを特徴とする。
【００１３】
請求項３の構成によれば、複数の設定項目の羅列から所望の設定項目を選択し、その設定を行うための確定操作をすると、該所望の設定項目を残し、それ以外の設定項目を非表示にする。これにより、利用者が現在どの設定項目に対して操作を行うのかが明確になる。また、設定を終え、その設定値に対して確定操作を行うと、非表示にした設定項目を再度表示し、引き続き他の項目の設定を行うことができる。
【００１４】
請求項４に係る簡易項目選択方法を備えた電子機器は、請求項１から３の何れか１項に記載の簡易項目選択方法をメニュー画面の項目選択方法として備えたことを特徴とする。
【００１５】
請求項４の構成によれば、請求項１から３の何れか１項に記載の簡易項目選択方法により設定項目を選択する設定メニュー画面を備えた電子機器により、利用者は容易に電子機器の設定を変更することができる。
【発明の効果】
【００１６】
請求項１に係る簡易項目選択方法は、複数の設定項目を一定の種別で分類し、その分類を図形を用いて示すことにより、利用者は自分の設定したい項目がどのアイコンに分類されているか判別することが容易となる。また、アイコンの背景となるアイコン枠により、例えばスーパーインポーズとして設定画面を表示した場合に、アイコンが背景の映像により視認しづらくなることを防ぐことができる。また、アイコンの選択にカーソルを用い、利用者が選択中のアイコンがどれなのかを容易に判別することができる。所望の分類のアイコンにカーソルを合わせ、操作手段により確定操作を行うと、アイコンが示す分類の設定項目の羅列を表示する。以上により、利用者はアイコンの図形により所望の設定項目の分類を容易に判別でき、また、所望の分類を示すアイコンを選択することがカーソルを用いることにより容易となる。
【００１７】
請求項２に係る簡易項目選択方法は、利用者の操作で移動するカーソルによって選択されるアイコンの背景色を変更することにより、利用者は選択中のアイコンがどのアイコンであるかを容易に判断することができる。
【００１８】
請求項３に係る簡易項目選択方法は、分類された複数の設定項目を並べ、操作手段により所望の設定項目を選択し、確定操作を行うと、所望の設定項目以外の設定項目が非表示となる。これにより、利用者は設定中の項目が何なのかを誤認することなく設定を行える。また、設定完了後確定操作を行うと、非表示となっていた所望の設定項目以外の設定項目が再度表示される。これにより、引き続き同じ分類の他の設定項目に対して設定を行うことができる。
【００１９】
請求項４に係る簡易項目選択方法を備えた電子機器は、請求項１から３の何れか１項に記載の簡易項目選択方法を有する設定メニュー画面を備えた電子機器により、利用者は多数の電子機器の設定項目から、容易に所望の設定項目を選択し、設定値の調整を行うことができる。
【発明を実施するための最良の形態】
【００２０】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２１】
図１〜図４は、本発明の実施例を示し、図１は、実施例の構成を示すブロック図であり、図２はメニュー画面表示から設定画面表示までの動作を示すフローチャート図である。図３はメニュー画面におけるアイコンの構成図であり、図４は設定画面を示す説明図である。
【００２２】
本発明の実施例の構成を、図１を用いて説明する。１は例えばテレビジョン受像機などの電子機器であり、２は電子機器１の内部に設置されるマイコンである。３はアンテナにより受信した搬送波からテレビジョン信号を抽出するチューナであり、４はテレビジョン信号を映像及び音声信号に変換する映像音声処理手段である。５はカーソルの移動及び項目の選択動作を制御する選択／移動制御手段である。６はメニュー画面等の表示情報を映像音声処理手段に送る表示処理部である。７はＯＳＤの生成や映像信号に合成するなどの処理を行うＯＳＤ制御手段である。８はマイコン全体の各動作全てを制御するＣＰＵである。９は操作処理手段であり、操作手段である操作装置１１及び遠隔操作装置１３から受光部１２に対して送信される操作信号を処理する。１０は、マイコンの各種設定初期値や調整項目などのデータを記憶する不揮発性メモリである。
【００２３】
次に、電子機器１の設定の変更をメニュー画面によって行う際の、アイコン及びカーソルの動作について、図２のフローチャート図を用いて説明する。まず、電子機器１に対して利用者が設定変更のためのメニュー画面の表示を指示する（Ｓ１）。設定項目の分類を示すアイコンを表示する（Ｓ２）。次に電子機器１に備えたスイッチあるいはリモコン装置の遠隔操作装置からのキー入力情報を検出し、カーソルの移動操作を判別し（Ｓ３）、移動操作が行われた場合、カーソルを移動させる（Ｓ４）。この後、利用者が所望の設定の分類を示すアイコンにカーソルを移動し、確定操作を行ったかどうかを判別し（Ｓ５）、確定操作が行われた場合、予めそのアイコンに分類された設定項目の表示を行う（Ｓ６）。その後、表示された設定項目の調整画面の表示を行う（Ｓ７）。
【００２４】
次に、メニュー画面におけるアイコンの構成について、図３を用いて説明する。１５は複数の設定項目を分類し、その分類を図示するアイコンであり、１６はアイコン１５の視認性を向上させるためのアイコン枠である。１７は、カーソルであり、アイコン１５及びアイコン枠１６の背景として表示し、選択中のアイコンを明示するものである。カーソル１７によって選択中のアイコン１５に対して、確定操作を行うことで、図４（ａ）のような設定項目の一覧を表示する。
【００２５】
次に、設定の調整時の画面遷移を図４（ａ）及び（ｂ）を用いて説明する。図４（ａ）のように、選択中の前述したアイコンに対して操作手段により確定操作が行われると、そのアイコンで分類された設定項目一覧が表示される。操作手段により、利用者は、設定項目一覧から所望の設定項目（図４（ａ）は「明るさ」の設定変更を行っている）を、操作手段を用いて選択する。その後、確定操作を行うと、選択した所望の設定項目以外を非表示とし、図４（ｂ）のように所望の設定項目のみ表示する。更に設定項目の数値調整用スライドバーなどを表示し、利用者はそれを用いて所望の設定項目の設定変更を行う。その後、設定が終了し、確定操作を行うことで、図４（ａ）の状態に戻る。
【００２６】
以上のように、本実施例では、電子機器１の設定を変更する際に表示されるメニュー画面において、多数ある設定項目を分類し、その分類を図示するアイコン１５を表示することで、メニュー画面を簡素にし、アイコン１５をアイコン枠１６で囲うことにより、スーパーインポーズとしてアイコン１５を表示した場合でも、アイコン１５の視認性を確保でき、カーソル１７をアイコン１５及びアイコン枠１６の背景として表示することにより、選択中のアイコン１５を容易に判別することができる。また、アイコン１５に対して確定操作をすることで、アイコンが示す分類の設定項目の一覧を表示し、これにより、煩雑な操作をすることなく、容易に所望の設定項目を操作手段により選択することができる。さらに、選択した設定項目の調整を行う際、他の設定項目を非表示にすることにより、利用者の現在設定中である項目の誤認を未然に防ぐことができる。
【００２７】
以上、本発明の実施例を詳述したが、本発明は前記実施例に限定されるものではなく、本発明の要旨の範囲内で種々の変形実施が可能である。例えば、電子機器１をテレビジョン受像機としたが、これを外部に映像音声信号を出力するＤＶＤ若しくはＨＤＤレコーダーや、テレビジョン受像機及びＤＶＤ若しくはＨＤＤレコーダーの複合機などの記録再生装置としてもよい。
【図面の簡単な説明】
【００２８】
【図１】本発明の実施例を示す電子機器の構成のブロック図である。
【図２】同上、メニュー画面の動作を示すフローチャート図である。
【図３】同上、メニュー画面に表示されたアイコンを示す平面図である。
【図４】同上、（ａ）は選択されたアイコンで分類された設定項目の一覧画面を示す平面図であり、（ｂ）は（ａ）で表示された設定項目の１つを選択した際の設定調整画面を示す平面図である。
【符号の説明】
【００２９】
１  電子機器
２  マイコン
３  チューナ
４  映像音声処理手段
５  選択／移動制御手段
６  表示処理手段
７  ＯＳＤ制御手段
８  ＣＰＵ
９  操作処理手段
１０  メモリ
１１  操作装置（操作手段）
１２  受光部
１３  遠隔操作装置（操作手段）
１４  表示手段
１５  アイコン
１６  アイコン枠
１７  カーソル
【図１】
2006302084.tif 000003
【図２】
2006302084.tif 000004
【図３】
2006302084.tif 000005
【図４】
2006302084.tif 000006